(57)【要約】【課題】電源装置に流れる突入電流を抑制する。【解決手段】電流検知部１６は、スイッチ１７を介して、出力端子ＯＴ１から出力される電流の大きさを検知する。CPU１９は、出力端子ＯＴ１から出力される電流の大きさが所定の閾値以上になってから所定の遅延時間が経過した場合、スイッチ１８をオンにし、出力端子ＯＴ２からの電力の出力を開始し、出力端子ＯＴ１から出力される電流の大きさが所定の閾値未満である場合、出力端子ＯＴ２からの電力の出力を停止するように制御する。本発明は、無停電電源装置に適用できる。【選択図】図１
2007124781.tif 000002
【特許請求の範囲】
【請求項１】
外部に電力を出力するための第１の出力端子および第２の出力端子を備える電源装置において、
前記第１の出力端子から出力される出力電流の大きさを検知する電流検知手段と、
前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御する出力制御手段と
を含む電源装置。
【請求項２】
外部に電力を出力するための第１の出力端子および第２の出力端子を備える電源装置の電力出力制御方法において、
前記第１の出力端子から出力される出力電流の大きさを検知し、
前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御する
ステップを含む電力出力制御方法。
【請求項３】
外部に電力を出力するための第１の出力端子および第２の出力端子を備える無停電電源装置において、
前記第１の出力端子から出力される出力電流の大きさを検知する電流検知手段と、
前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御する出力制御手段と
を含む無停電電源装置。
【請求項４】
外部に電力を出力するための第１の出力端子および第２の出力端子を備える無停電電源装置の電力出力制御方法において、
前記第１の出力端子から出力される出力電流の大きさを検知し、
前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御する
ステップを含む電力出力制御方法。
【発明の詳細な説明】
【技術分野】
【０００１】
本発明は、電源装置、無停電電源装置および電力出力制御方法に関し、特に、電源装置または無停電電源装置に流れる突入電流を抑制するようにした電源装置、無停電電源装置および電力出力制御方法に関する。
【背景技術】
【０００２】
従来、コンピュータの周辺機器の操作が所定の時間検出されない場合、周辺機器の電源を自動的に遮断し、電源遮断後に周辺機器の操作が検出された場合、周辺機器の電源を自動的に再投入する電源装置が提案されている（例えば、特許文献１参照）。
【０００３】
ところで、電源装置の１種である無停電電源装置（UPS）に接続されている負荷機器を起動したとき、負荷機器の起動に伴う突入電流がUPSに流れる。UPSに接続されている負荷機器の数が多い場合、それらの負荷機器が一度に起動されてしまうと、それらの負荷機器への突入電流が加算されてUPSに流れるため、UPSが破壊されてしまう可能性がある。
【０００４】
この突入電流によるUPSの破壊を防止する方法として、まず、UPSの内部に突入電流を抑制する突入電流抑制回路を設けることが考えられる。また、UPSの起動時に、UPSに設けられている複数の出力端子からの電力の出力を、時間差を設けて開始するようにすることが考えられる。
【特許文献１】特開２０００−２４２３７１号公報
【発明の開示】
【発明が解決しようとする課題】
【０００５】
しかしながら、UPSの内部に突入電流抑制回路を設けるようにした場合、大きな突入電流が発生したとき、UPSの出力電圧が低下してしまい、負荷機器が正常に起動しない場合がある。
【０００６】
また、UPSの起動時に、UPSに設けられている複数の出力端子からの電力の出力を、時間差を設けて開始するようにする方法では、UPSがすでに起動している場合に、複数の負荷機器を同時に起動させたときには、それらの負荷機器への突入電流が加算されてUPSに流れてしまう。従って、負荷機器を起動させる際、常にUPSを一旦停止させた後、再起動する必要がある。
【０００７】
また、特許文献１に記載の発明は、負荷機器の操作に基づいて、電源を制御するものであり、負荷機器の起動時に流れる突入電流を抑制することについては記載されていない。
【０００８】
本発明は、このような状況に鑑みてなされたものであり、UPSなどの電源装置に流れる突入電流を抑制するようにするものである。
【課題を解決するための手段】
【０００９】
本発明の第１の側面の電源装置は、外部に電力を出力するための第１の出力端子および第２の出力端子を備える電源装置であって、前記第１の出力端子から出力される出力電流の大きさを検知する電流検知手段と、前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御する出力制御手段とを備える。
【００１０】
本発明の第１の側面の電源装置であって、外部に電力を出力するための第１の出力端子および第２の出力端子を備える電源装置においては、前記第１の出力端子から出力される出力電流の大きさが検知され、前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御される。
【００１１】
従って、第１の出力端子に接続されている負荷機器の電源のオンまたはオフに連動して、第２の出力端子に接続されている負荷機器への電力の出力の開始または停止を制御することができる。また、電源装置に流れる突入電流を抑制することができる。
【００１２】
この電流検知手段は、例えば、検出抵抗により構成される。
【００１３】
この出力制御手段は、例えば、CPUにより構成される。
【００１４】
本発明の第１の側面の電力出力制御方法は、外部に電力を出力するための第１の出力端子および第２の出力端子を備える電源装置の電力出力制御方法であって、前記第１の出力端子から出力される出力電流の大きさを検知し、前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御するステップを含む。
【００１５】
本発明の第１の側面の電力出力制御方法であって、外部に電力を出力するための第１の出力端子および第２の出力端子を備える電源装置の電力出力制御方法においては、外部に電力を出力するための第１の出力端子および第２の出力端子を備える電源装置においては、前記第１の出力端子から出力される出力電流の大きさが検知され、前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御される。
【００１６】
従って、第１の出力端子に接続されている負荷機器の電源のオンまたはオフに連動して、第２の出力端子に接続されている負荷機器への電力の出力の開始または停止を制御することができる。また、電源装置に流れる突入電流を抑制することができる。
【００１７】
出力電流の大きさは、例えば、検出抵抗により検知される。
【００１８】
電源装置からの電力の出力の制御は、例えば、CPUにより行われる。
【００１９】
本発明の第２の側面の無停電電源装置は、外部に電力を出力するための第１の出力端子および第２の出力端子を備える無停電電源装置であって、前記第１の出力端子から出力される出力電流の大きさを検知する電流検知手段と、前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御する出力制御手段とを備える。
【００２０】
本発明の第２の側面の無停電電源装置であって、外部に電力を出力するための第１の出力端子および第２の出力端子を備える無停電電源装置においては、前記第１の出力端子から出力される出力電流の大きさが検知され、前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御される。
【００２１】
従って、第１の出力端子に接続されている負荷機器の電源のオンまたはオフに連動して、第２の出力端子に接続されている負荷機器への電力の出力の開始または停止を制御することができる。また、無停電電源装置に流れる突入電流を抑制することができる。
【００２２】
この電流検知手段は、例えば、検出抵抗により構成される。
【００２３】
この出力制御手段は、例えば、CPUにより構成される。
【００２４】
本発明の第２の側面の電力出力制御方法は、外部に電力を出力するための第１の出力端子および第２の出力端子を備える無停電電源装置の電力出力制御方法であって、前記第１の出力端子から出力される出力電流の大きさを検知し、前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御するステップを含む。
【００２５】
本発明の第２の側面の電力出力制御方法であって、外部に電力を出力するための第１の出力端子および第２の出力端子を備える無停電電源装置の電力出力制御方法においては、外部に電力を出力するための第１の出力端子および第２の出力端子を備える無停電電源装置においては、前記第１の出力端子から出力される出力電流の大きさが検知され、前記出力電流の大きさが所定の閾値以上になってから所定の時間が経過した場合、前記第２の出力端子からの電力の出力を開始し、前記出力電流の大きさが前記閾値未満である場合、前記第２の出力端子からの電力の出力を停止するように制御される。
【００２６】
従って、第１の出力端子に接続されている負荷機器の電源のオンまたはオフに連動して、第２の出力端子に接続されている負荷機器への電力の出力の開始または停止を制御することができる。また、無停電電源装置に流れる突入電流を抑制することができる。
【００２７】
出力電流の大きさは、例えば、検出抵抗により検知される。
【００２８】
無停電電源装置からの電力の出力の制御は、例えば、CPUにより行われる。
【発明の効果】
【００２９】
以上のように、本発明の第１の側面によれば、第１の出力端子に接続されている負荷機器の電源のオンまたはオフに連動して、第２の出力端子に接続されている負荷機器への電力の出力の開始または停止を制御することができる。また、本発明の第１の側面によれば、電源装置に流れる突入電流を抑制することができる。
【００３０】
本発明の第２の側面によれば、第１の出力端子に接続されている負荷機器の電源のオンまたはオフに連動して、第２の出力端子に接続されている負荷機器への電力の出力の開始または停止を制御することができる。また、本発明の第２の側面によれば、無停電電源装置に流れる突入電流を抑制することができる。
【発明を実施するための最良の形態】
【００３１】
以下、図を参照して、本発明の実施の形態について説明する。
【００３２】
図１は、本発明を適用したUPSの一実施の形態を示すブロック図である。本発明を適用したUPS１は、電圧・電流検知部１１、ライン１２、バッテリ１３、インバータ１４、スイッチ１５、電流検知部１６、スイッチ１７，１８、CPU（Central Processing Unit）１９、記憶部２０、外部インタフェース（I/F）２１、入力端子ＩＴ１、出力端子ＯＴ１，ＯＴ２、および、外部端子ＥＴ１を含むように構成される。
【００３３】
電圧・電流検知部１１は、例えば、検出抵抗等により構成され、入力電圧および入力電流の大きさを検知し、検知した入力電圧および入力電流の値を示すデータ（以下、入力電力データと称する）をCPU１９に供給する。
【００３４】
ライン１２は、図示せぬ外部の交流電源からの電力を伝播するラインである。すなわち、入力電圧および入力電流が正常である場合（すなわち、通常の場合）、CPU１９の制御の基に、スイッチ１５の入力がライン１２側に切替えられるとともに、スイッチ１７がオンにされ、入力端子ＩＴ１から入力される交流電源からの電力が、ライン１２、スイッチ１５、電流検知部１６、および、スイッチ１７を介して、出力端子ＯＴ１から出力される。また、出力端子ＯＴ１から出力される出力電流（以下、メイン出力電流とも称する）の大きさが所定の閾値（以下、サブ出力許可値とも称する）以上である場合、CPU１９の制御の基に、スイッチ１８がオンにされ、入力端子ＩＴ１から入力される交流電源からの電力が、ライン１２、スイッチ１５、および、スイッチ１８を介して、出力端子ＯＴ２からも出力される。
【００３５】
なお、サブ出力許可値は、ユーザにより任意の値に設定することが可能であり、例えば、出力端子ＯＴ１に接続されている負荷機器の電源がオフにされている場合に流れる待機電流の合計値より大きく、かつ、出力端子ＯＴ１に接続されている負荷機器が稼動している場合に流れる電流の大きさより小さい値に設定される。
【００３６】
バッテリ１３は、入力電力に異常が発生した場合に、外部に電力を供給するための予備電源（バックアップ電源）である。なお、入力端子ＩＴ１を介して外部の交流電源から入力される交流電圧が、図示せぬ充電回路により直流電圧に変換され、その直流電圧がバッテリ１３に印加されることにより、バッテリ１３が充電される。
【００３７】
インバータ１４は、CPU１９の制御の基に、バッテリ１３の直流電圧を、入力端子ＩＴ１に接続されている交流電源と、同一の周波数、かつほぼ同一のレベルの交流電圧に変換する。停電などの発生により、入力電圧または入力電流が異常である場合（すなわち、入力電力が異常である場合）、CPU１９の制御の基に、スイッチ１５の入力がインバータ１４側に切替えられ、インバータ１４から出力される交流電圧が、スイッチ１５、電流検知部１６、および、スイッチ１７を介して、出力端子ＯＴ１に接続されている負荷機器に印加される（電力が供給される）。また、メイン出力電流の大きさがサブ出力許可値以上であり、スイッチ１８がオンになっている場合、インバータ１４から出力される交流電圧は、スイッチ１５およびスイッチ１８を介して、出力端子ＯＴ２に接続されている負荷機器にも印加される（電力が供給される）。
【００３８】
なお、バッテリ１３の直流電圧を所定の直流電圧に変換するDC/DCコンバータを、バッテリ１３とインバータ１４との間に設けるようにしてもよい。
【００３９】
スイッチ１５は、上述したように、CPU１９の制御の基に、その入力が切替えられる。すなわち、CPU１９は、UPS１が稼動状態であって、かつ、入力電力に異常が発生している場合、スイッチ１５の入力をインバータ１４側に切替え、それ以外の場合、スイッチ１５の入力をライン１２側に切換える。
【００４０】
電流検知部１６は、例えば、検出抵抗等により構成され、出力端子ＯＴ１から出力される出力電流（メイン出力電流）の大きさを検知し、検知した出力電流の大きさを示すデータ（以下、出力電流データと称する）をCPU１９に供給する。
【００４１】
スイッチ１７は、CPU１９の制御の基に、その状態が切替えられる。すなわち、CPU１９は、UPS１が稼動状態の場合、スイッチ１７をオンにし、それ以外の場合、スイッチ１７をオフにする。
【００４２】
スイッチ１８は、CPU１９の制御の基に、その状態が切替えられる。すなわち、CPU１９は、UPS１が稼動状態、かつ、メイン出力電流の大きさがサブ出力許可値以上となってから所定の時間が経過した場合、スイッチ１８をオンにし、メイン出力電流の大きさがサブ出力許可値未満である場合、スイッチ１８をオフにする。すなわち、CPU１９は、メイン出力電流がサブ出力許可値以上となってから所定の時間が経過した場合、出力端子ＯＴ２からの電力の出力を開始し、メイン出力電流がサブ出力許可値未満である場合、出力端子ＯＴ２から電力の出力を停止するように制御する。
【００４３】
なお、以下、スイッチ１７をメインスイッチ、スイッチ１８をサブスイッチとも称する。また、以下、出力端子ＯＴ１をメイン出力端子、出力端子ＯＴ２をサブ出力端子とも称する。
【００４４】
CPU１９は、電圧・電流検知部１１から供給される入力電力データ、電流検知部１６から供給される出力電流データ、外部端子ＥＴ１に接続されている外部の機器から外部インタフェース２１を介して送信されてくる各種の処理を指令するコマンド、または、図示せぬUPS１の操作部を操作することにより入力されるユーザの指令に基づいて、UPS１の各部の動作を制御する。また、CPU１９は、外部インタフェース２１を介して、外部端子ＥＴ１に接続されている外部の機器に、UPS１の状態を示す情報、各種の処理の実行を指令するコマンドなどを送信する。
【００４５】
記憶部２０は、例えば、フラッシュメモリ、EEPROM（Electrically Erasable and Programmable Read Only Memory）、HDD（Hard Disk Drive）などの不揮発性の記憶媒体により構成される。記憶部２０は、例えば、各種のプログラム、UPS１の設定値、UPS１の処理に必要なデータなどを記憶する。
【００４６】
外部インタフェース２１は、外部端子ＥＴ１に接続されている外部の機器と通信を行う。
【００４７】
なお、UPS１の電力供給方式（すなわち、その構成）は、図１の例では、説明の簡略上、いわゆる常時商用給電方式とされているが、図１の例に限定されず、いわゆるラインインタラクティブ方式や、いわゆる常時インバータ方式といった様々な方式を適用することが可能である。また、出力端子ＯＴ１またはＯＴ２に接続されている負荷機器に、より正弦波に近い波形の電圧を印加できるよう、図示はしないが、フィルタ部等の、他の構成要素が設けられることもある。
【００４８】
次に、図２のフローチャートを参照して、UPS１により実行される電力出力制御処理を説明する。
【００４９】
なお、以下の説明において、図３に示されるように、UPS１のメイン出力端子（出力端子ＯＴ１）に、パーソナルコンピュータ５１が接続され、サブ出力端子（出力端子ＯＴ２）に、モニタまたはプリンタなどのパーソナルコンピュータ５１の周辺機器５２が接続されているものとする。また、図３において、入力端子ＩＴ１は、UPS１の電源プラグとして示されており、電源プラグである入力端子ＩＴ１を商用電源のコンセントに差し込むことにより、商用の交流電源からUPS１に電力が入力される。
【００５０】
また、図４は、UPS１の入力端子ＩＴ１からの電力の入力であるAC入力、UPS１のメイン出力端子からの電力の出力であるメイン出力、UPS１のサブ出力端子からの電力の出力であるサブ出力、パーソナルコンピュータ５１の電源、および、周辺機器５２の電源の状態（オンまたはオフ）の遷移を示すタイミングチャートの例を示している。以下、適宜図４のタイミングチャートも参照して、UPS１による出力電力制御処理を説明する。
【００５１】
なお、この処理は、例えば、ユーザが、UPS１の図示せぬ電源スイッチをオンにし、入力端子ＩＴ１からの入力電力（商用の交流電源）が正常な状態になったとき、例えば、図４のタイミングチャートでは、AC入力がオンになる時刻ｔ０において、処理が開始される。
【００５２】
ステップＳ１において、CPU１９は、UPS１を起動し、メインスイッチをオンにする。具体的には、CPU１９は、スイッチ１５をライン１２側に切換え、メインスイッチをオンにする。これにより、メイン出力端子に接続されている負荷機器であるパーソナルコンピュータ５１への電力の出力が開始される（メイン出力がオンにされる）。なお、このとき、サブスイッチはオフのままとされ、サブ出力端子に接続されている負荷機器である周辺機器５２への電力の出力は開始されない。すなわち、図４のタイミングチャートでは、メイン出力がオンとなる時刻ｔ１における状態となる。また、CPU１９は、電流検知部１６から供給される出力電流データに基づいて、メイン出力電流の監視を開始する。
【００５３】
ステップＳ２において、CPU１９は、メイン出力電流の大きさが所定の閾値以上になったか否かを判定する。メイン出力電流の大きさが所定の閾値、すなわち、サブ出力許可値以上になったと判定された場合、例えば、図４のタイミングチャートでは、時刻ｔ２において、パーソナルコンピュータ５１の電源がオンにされ、サブ出力許可値以上の大きさの電流が電流検知部１６に流れ始めた場合、処理はステップＳ３に進む。
【００５４】
ステップＳ３において、CPU１９は、所定の遅延時間が経過した後、サブスイッチをオンにする。これにより、サブ出力端子に接続されている周辺機器５２への電力の出力が開始され（サブ出力がオンにされ）、周辺機器５２が電力の入力に伴い自動的に起動するように設定されている場合、周辺機器５２の電源がオンになる。すなわち、図４のタイミングチャートでは、時刻ｔ３における状態となる。
【００５５】
このように、メインスイッチに接続されている負荷機器（パーソナルコンピュータ５１）が起動してから、サブスイッチに接続されている負荷機器（周辺機器５２）が起動するまでの間に所定の遅延時間が設けられるため、パーソナルコンピュータ５１の起動時の突入電流と、周辺機器５２の起動時の突入電流とが加算されてUPS１に流れることが防止される。すなわち、UPS１に流れる突入電流が抑制される。
【００５６】
なお、この遅延時間は、ユーザにより任意の値に設定できるようにしてもよい。
【００５７】
ステップＳ４において、CPU１９は、メイン出力電流の大きさが所定の閾値未満になったか否かを判定する。メイン出力電流の大きさが所定の閾値、すなわち、サブ出力許可値以上であると判定された場合、すなわち、パーソナルコンピュータ５１の電源がオンになっている状態が継続している場合、処理はステップＳ５に進む。
【００５８】
ステップＳ５において、CPU１９は、UPS１を停止するか否かを判定する。UPS１を停止しないと判定された場合、処理はステップＳ４に戻り、ステップＳ４において、メイン出力電流の大きさが所定の閾値未満になったと判定されるか、または、ステップＳ５において、UPS１を停止すると判定されるまで、ステップＳ４およびＳ５の処理が繰返し実行される。
【００５９】
ステップＳ５において、例えば、ユーザが、図示せぬUPS１の電源スイッチをオフにしたり、外部端子ＥＴ１に接続されている外部の機器から、外部インタフェース２１を介して、UPS１の停止を指令するコマンドが入力されたり、または、入力電力が異常となり、UPS１がバックアップ運転を開始した後、所定のバックアップ時間が経過した場合、CPU１９は、UPS１を停止すると判定し、処理はステップＳ８に進む。
【００６０】
ステップＳ４において、メイン出力端子から出力される電流の大きさが所定の閾値（サブ出力許可値）未満になったと判定された場合、例えば、図４のタイミングチャートでは、時刻ｔ４において、パーソナルコンピュータ５１の電源がオフにされた場合、処理はステップＳ６に進む。
【００６１】
ステップＳ６において、CPU１９は、サブスイッチをオフにする。これにより、サブ出力端子からの電力の出力が停止され（サブ出力がオフにされ）、周辺機器５２の電源がオフにされる。例えば、図４のタイミングチャートでは、サブ出力および周辺機器５２の電源がオフになる時刻ｔ５における状態となる。従って、メイン出力端子に接続されているパーソナルコンピュータ５１の電源をオフにすることにより、サブ出力端子に接続されている周辺機器５２の電源を自動的にオフにすることができる。その後、処理はステップＳ７に進む。
【００６２】
なお、メイン出力電流の大きさがサブ出力許可値未満になってから、サブ出力端子からの電力の出力を停止するまでに、所定の遅延時間を設けるようにしてもよい。また、この遅延時間をユーザが設定できるようにしてもよい。
【００６３】
ステップＳ２において、メイン出力電流の大きさが所定の閾値（サブ出力許可値）未満であると判定された場合、すなわち、パーソナルコンピュータ５１がオフされている場合、ステップＳ３、Ｓ４およびＳ６の処理はスキップされ、処理はステップＳ７に進む。
【００６４】
ステップＳ７において、ステップＳ５と同様の処理により、UPS１を停止するか否かが判定される。UPS１を停止しないと判定された場合、処理はステップＳ２に戻り、上述したステップＳ２以降の処理が実行される。
【００６５】
ステップＳ７において、UPS１を停止すると判定された場合、処理はステップＳ８に進む。
【００６６】
ステップＳ８において、CPU１９は、UPS１を停止し、電力出力制御処理は終了する。具体的には、CPU１９は、メインスイッチをオフにし、サブスイッチがオンになっている場合、サブスイッチをオフにする。さらに、CPU１９は、UPS１がバックアップ運転中である場合、インバータ１４の処理を停止させ、スイッチ１５をライン１２側に切換える。
【００６７】
このようにして、UPS１に接続されている負荷機器の起動時に流れる突入電流が抑制される。また、UPS１のメイン出力端子に接続されている負荷機器の電源をオフすることにより、サブ出力端子に接続されている負荷機器の電源を自動的にオフにすることができる。
【００６８】
なお、以上の説明では、UPSの出力端子（例えば、出力端子ＯＴ１，ＯＴ２）および出力端子に対応するスイッチ（例えば、スイッチ１７，１８）の数を２つとする例を示したが、３つ以上にするようにしてもよい。出力端子を３つ以上設ける場合、例えば、出力端子Ａから出力される出力電流の大きさが所定の閾値以上になってから所定の遅延時間が経過した場合、次の出力端子Ｂからの電力の出力を開始し、出力端子Ｂから出力される出力電流の大きさが所定の閾値以上になってから所定の遅延時間が経過した場合、さらに次の出力端子Ｃからの電力の出力を開始するように、異なる出力端子に接続されている負荷機器が同時に起動しないようにすることにより、UPSに流れる突入電流が抑制される。また、出力端子を３つ以上設ける場合、例えば、他の出力端子の出力と連動しない出力端子を設けたり、複数の出力端子が同じ出力端子の出力に連動するようにしてもよい。
【００６９】
また、以上の説明では、本発明をUPSに適用した場合の例を説明したが、本発明は、UPS以外にも、電力を２つ以上に分岐して出力する電源装置に適用することができる。
【００７０】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【００７１】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【００７２】
また、本発明の実施の形態は、上述した実施の形態に限定されるものではなく、本発明の要旨を逸脱しない範囲において種々の変更が可能である。
【図面の簡単な説明】
【００７３】
【図１】本発明を適用したUPSの一実施の形態を示すブロック図である。
【図２】図１のUPSにより実行される電力出力制御処理を説明するためのフローチャートである。
【図３】図１のUPSの使用例を示す図である。
【図４】UPSおよびUPSに接続されている負荷機器の状態の遷移の例を示すタイミングチャートである。
【符号の説明】
【００７４】
１  UPS
１６  電流検知部（電流検知手段）
１７，１８  スイッチ
１９  CPU（出力制御手段）
ＯＴ１，ＯＴ２  出力端子
【図１】
2007124781.tif 000003
【図２】
2007124781.tif 000004
【図３】
2007124781.tif 000005
【図４】
2007124781.tif 000006